(57)【要約】【課題】液体収容体を容器から容易に取り外すことができる液体噴射装置を提供する。【解決手段】液体を収容する液体収容体２５を載置するように構成される容器２６と、容器２６が装着口２９から装着方向Ｄ１に挿入されて装着される装着部２７と、容器２６に載置される液体収容体２５から供給される液体を噴射するように構成される液体噴射ヘッドと、を備え、装着部２７は、装着部２７から容器２６が引き出される過程で、容器２６が有する係合部５９と係合するように構成される被係合部４２を有し、容器２６は、係合部５９が被係合部４２に係合して係合部５９と被係合部４２が装着方向Ｄ１に並ぶ係合状態で、液体収容体２５が容器２６に着脱される際にユーザーに把持される把持部５３ａを装着口２９より外側に位置させる。【選択図】図１０
2020011423.tif 000002
【特許請求の範囲】
【請求項１】
液体を収容する液体収容体を載置するように構成される容器と、
前記容器が装着口から装着方向に挿入されて装着される装着部と、
前記容器に載置される前記液体収容体から供給される前記液体を噴射するように構成される液体噴射ヘッドと、
を備え、
前記装着部は、該装着部から前記容器が引き出される過程で、前記容器が有する係合部と係合するように構成される被係合部を有し、
前記容器は、前記係合部が前記被係合部に係合して前記係合部と前記被係合部が前記装着方向に並ぶ係合状態で、前記液体収容体が前記容器に着脱される際にユーザーに把持される把持部を前記装着口より外側に位置させることを特徴とする液体噴射装置。
【請求項２】
前記容器は、該容器から前記液体収容体が取り外される際に、該液体収容体を案内する収容体ガイドを有し、
前記収容体ガイドは、前記係合状態で前記装着口よりも外側に位置することを特徴とする請求項１に記載の液体噴射装置。
【請求項３】
前記容器は、前記装着方向の先端から前記装着部に挿入され、
前記係合部は、前記装着方向において前記容器の中央よりも前記先端側に位置し、
前記被係合部は、前記装着部に装着された前記容器の中央よりも前記装着口側に位置し、
前記容器の鉛直方向における大きさは、前記先端が前記中央よりも小さいことを特徴とする請求項１又は請求項２に記載の液体噴射装置。
【請求項４】
前記装着方向及び鉛直方向と交差する幅方向において、前記装着部に装着された前記容器と前記装着部との間には隙間が設けられ、
前記装着部は、該装着部から引き出される前記容器を案内する容器ガイドを有し、
前記係合部は、前記容器ガイドによる案内が解除された後、前記被係合部に係合することを特徴とする請求項１〜請求項３のうち何れか一項に記載の液体噴射装置。
【請求項５】
前記被係合部は、前記装着部から引き出される前記容器の移動経路上に設けられた鉛直方向に凹む凹部であり、
前記係合部は、前記容器が前記装着部から引き出される過程で前記被係合部に係合する凸部であることを特徴とする請求項１〜請求項４のうち何れか一項に記載の液体噴射装置。
【請求項６】
前記装着方向及び鉛直方向と交差する幅方向において、前記装着部に装着された前記容器と前記装着部との間には隙間が設けられ、
前記被係合部の前記装着方向における長さは、前記係合部の前記装着方向における長さよりも長いことを特徴とする請求項５に記載の液体噴射装置。
【請求項７】
前記被係合部を構成する面のうち前記装着方向の奥側に位置する面は、前記奥側から前記装着口に向かって下がるように傾斜する傾斜部を有することを特徴とする請求項５又は請求項６に記載の液体噴射装置。
【請求項８】
前記被係合部は、前記装着口と前記装着方向に隣り合い、
前記容器は、前記装着方向の先端から前記装着部に挿入され、前記液体収容体が前記容器から取り外される際に、前記液体収容体を案内する収容体ガイドを有し、
前記係合部は、前記装着方向において前記先端と前記収容体ガイドとの間に位置することを特徴とする請求項１〜請求項７のうち何れか一項に記載の液体噴射装置。
【請求項９】
前記装着口を覆う閉位置と、前記装着口を露出させる開位置と、に位置するように構成されるカバーを備え、
前記係合状態の前記容器は、前記開位置に位置する前記カバーと接触するように構成されることを特徴とする請求項１〜請求項８のうち何れか一項に記載の液体噴射装置。
【発明の詳細な説明】
【技術分野】
【０００１】
本発明は、プリンターなどの液体噴射装置に関する。
【背景技術】
【０００２】
液体噴射装置の一例として、例えば特許文献１に記載のプリンターがある。プリンターは、液体の一例であるインクが充填されたインクパックを収容する容器と、容器を収容する装着部の一例である容器収容部と、を備える。インクパックは、アダプターが装着された状態で容器に収容される。容器は、アダプターがインクパックよりも奥に位置するように、アダプター側から容器収容部に挿入される。
【先行技術文献】
【特許文献】
【０００３】
【特許文献１】特開２０１７−４３０８６号公報
【発明の概要】
【発明が解決しようとする課題】
【０００４】
容器の一部を容器収容部から引き出した状態では、アダプターが容器収容部内に位置するため、インクパックの交換が難しい。そのため、インクパックの交換は、液体収容部から容器を取り外した状態で行っており、手間がかかっていた。
【０００５】
こうした課題は、容器を容器収容部に収容するプリンターに限らず、容器を装着部に装着する液体噴射装置についても、生じる虞があった。
【課題を解決するための手段】
【０００６】
上記課題を解決する液体噴射装置は、液体を収容する液体収容体を載置するように構成される容器と、前記容器が装着口から装着方向に挿入されて装着される装着部と、前記容器に載置される前記液体収容体から供給される前記液体を噴射するように構成される液体噴射ヘッドと、を備え、前記装着部は、該装着部から前記容器が引き出される過程で、前記容器が有する係合部と係合するように構成される被係合部を有し、前記容器は、前記係合部が前記被係合部に係合して前記係合部と前記被係合部が前記装着方向に並ぶ係合状態で、前記液体収容体が前記容器に着脱される際にユーザーに把持される把持部を前記装着口より外側に位置させる。
【図面の簡単な説明】
【０００７】
【図１】液体噴射装置の一実施形態の斜視図。
【図２】液体噴射装置の内部構成を示す模式図。
【図３】装着部の断面図。
【図４】液体収容体が載置された容器の斜視図。
【図５】容器の側面図。
【図６】容器の底面側の斜視図。
【図７】容器の底面側の斜視図。
【図８】容器の底面図。
【図９】容器が装着される装着部の断面図。
【図１０】係合状態の容器と装着部の断面図。
【図１１】図１０におけるＡ部分の拡大図。
【図１２】係合状態の容器と装着部の断面図。
【図１３】係合状態の容器の平面図。
【発明を実施するための形態】
【０００８】
以下、液体噴射装置の一実施形態を、図面を参照して説明する。液体噴射装置は、例えば、用紙などの媒体に液体の一例であるインクを噴射して印刷するインクジェット式のプリンターである。
【０００９】
図１に示すように、液体噴射装置１１は、略直方体状の外装体１２を備える。外装体１２の側面のうち液体噴射装置１１に対する操作を主に行う正面には、液体噴射装置１１を操作するための操作部１３が設けられている。操作部１３の下側には、媒体１４が排出される排出トレイ１５と、媒体１４を収容可能な媒体収容体１６と、回動可能なカバー１７と、を配置してもよい。
【００１０】
図面では、液体噴射装置１１が水平面上に置かれているものとして重力の方向をＺ軸で示し、Ｚ軸と交差する面に沿う方向をＸ軸及びＹ軸で示す。Ｘ軸、Ｙ軸、及びＺ軸が互いに直交する場合、Ｘ軸とＹ軸は水平面に沿う。以下の説明では、Ｘ軸が指す方向を幅方向Ｘ、Ｙ軸が指す方向を奥行方向Ｙ、Ｚ軸が指す方向を鉛直方向Ｚともいう。
【００１１】
図２に示すように、液体噴射装置１１は、媒体１４を支持する媒体支持部１９と、液体を噴射する液体噴射ヘッド２０と、液体噴射ヘッド２０を保持して幅方向Ｘに往復移動するキャリッジ２１と、キャリッジ２１の移動を案内するガイド軸２２と、を備える。液体噴射ヘッド２０は、液体を噴射可能なノズル２３を有する。液体噴射ヘッド２０は、キャリッジ２１と共に移動しながら媒体支持部１９に支持される媒体１４に向かって液体を噴射して印刷する。
【００１２】
液体噴射装置１１は、液体を収容する液体収容体２５を載置するように構成される容器２６と、容器２６が着脱可能に装着される装着部２７と、を備える。液体噴射装置１１は、複数の装着部２７を備えてもよい。装着部２７には、１又は複数の容器２６が装着される。例えば、下段の装着部２７には、幅方向Ｘの大きさが大きい１つの容器２６を装着してもよい。上段の装着部２７には、幅方向Ｘの大きさが小さい３つの容器２６を、幅方向Ｘに並べて装着してもよい。
【００１３】
液体噴射装置１１が複数の容器２６を備える場合、各容器２６に載置される複数の液体収容体２５には、それぞれ異なる種類の液体を収容してもよい。種類の異なる液体とは、例えば、ブラック、シアン、マゼンタ、イエロー等の色の異なるインクである。
【００１４】
容器２６は、装着口２９から装着部２７に挿入されると共に、奥行方向Ｙへ押し込まれて装着部２７に装着される。装着部２７は、容器２６の着脱時の移動を案内する容器ガイド３０を有してもよい。例えば、容器ガイド３０は、奥行方向Ｙに延びる１又は複数の凸条や凹条である。容器２６の底面には、容器ガイド３０の凹凸に沿うレール３１を設けてもよい。容器ガイド３０は、係合したレール３１を案内することにより、装着部２７に装着される容器２６、及び装着部２７から引き出される容器２６を案内する。
【００１５】
容器２６及び液体収容体２５は、鉛直方向Ｚの大きさよりも幅方向Ｘの大きさが大きい装着姿勢で装着部２７に装着される。幅方向Ｘにおいて、装着部２７の大きさは、装着姿勢の容器２６の大きさよりも大きくてもよい。幅方向Ｘにおいて、装着部２７に装着された容器２６と、装着部２７と、の間には、第１隙間３３が設けられていてもよい。第１隙間３３は、幅方向Ｘにおいて、容器２６の両側に設けてもよい。
【００１６】
図３に示すように、装着部２７の奥には、容器２６を係止可能な係止部３５と、中空針状の接続部３６と、容器２６を位置決めする棒状の位置決め突部３７と、を設けてもよい。液体噴射装置１１は、装着部２７に装着可能な容器２６の数と同数の接続部３６を備える。装着部２７は、装着口２９から接続部３６に向けて延びる移動経路３８を有する。
【００１７】
移動経路３８において、装着口２９から接続部３６に向かう方向を装着方向Ｄ１として示し、接続部３６から装着口２９に向かう方向を装着方向Ｄ１とは反対の引出方向Ｄ２として示す。本実施形態の装着方向Ｄ１は、奥行方向Ｙと一致し、幅方向Ｘ及び鉛直方向Ｚと交差する。容器２６は、装着口２９から装着方向Ｄ１に挿入されて装着部２７に装着される。装着部２７に装着された容器２６は、引出方向Ｄ２に引き出される。装着部２７は、装着部２７に着脱される容器２６を移動しやすくするためのころ４０を備えてもよい。
【００１８】
容器２６が装着部２７に装着されると、容器２６に載置された液体収容体２５は、接続部３６と接続する。液体収容体２５が収容する液体は、接続部３６を通じて液体噴射ヘッド２０に供給される。すなわち、液体噴射ヘッド２０は、容器２６に載置される液体収容体２５から供給される液体を噴射するように構成される。
【００１９】
上段の装着部２７は、装着口２９と装着方向Ｄ１に隣り合う被係合部４２を有する。被係合部４２は、装着口２９よりも奥側に位置し、装着部２７から引き出される容器２６の移動経路３８上に設けられる。被係合部４２は、鉛直方向Ｚに凹む凹部である。
【００２０】
液体噴射装置１１は、カバー１７の回動範囲を規定するアーム４４を備えてもよい。カバー１７は、図１に示す閉位置と、図３に示す開位置と、に位置するように構成される。閉位置に位置するカバー１７は、装着口２９を覆う。開位置に位置するカバー１７は、装着口２９を露出させる。
【００２１】
次に、液体収容体２５及び容器２６の一実施形態について説明する。
図面では、容器２６及び液体収容体２５が装着部２７に装着される装着姿勢でのＸ軸、Ｙ軸、及びＺ軸を図示する。
【００２２】
図３に示すように、装着姿勢の容器２６は、液体収容体２５を載置する載置面４６がＸ軸及びＹ軸に沿う。
図４に示すように、容器２６は、略直方体状の外形をなし、鉛直方向Ｚの上方に開口する。容器２６は、装着部２７に装着されるときに先に進む方を先端２６ａとし、先端２６ａの反対側の端を後端２６ｂとする。先端２６ａには、容器２６が装着部２７に装着された場合に、接続部３６に接続して液体を供給する供給口４７と、位置決め突部３７と係合する位置決め穴４８と、が形成されている。
【００２３】
容器２６は、容器２６から液体収容体２５が取り外される際に、液体収容体２５を案内する１又は複数の収容体ガイド４９を有してもよい。本実施形態の収容体ガイド４９は、装着方向Ｄ１において、中央２６ｃと先端２６ａとの間の位置に、幅方向Ｘに間隔を空けて２つ設けられている。
【００２４】
液体収容体２５は、液体を収容可能な袋５１と、袋５１に収容される液体を液体噴射装置１１に供給するための供給部５２と、供給部５２に設けられる取っ手５３と、を備える。袋５１は、長方形状のフィルム材を２枚重ねて、その４辺を接合することによって形成される。供給部５２は、袋５１の短辺に取り付けられている。
【００２５】
取っ手５３は、供給部５２とは別部材で構成してもよい。取っ手５３は、液体収容体２５が容器２６に着脱される際にユーザーに把持される把持部５３ａを有している。取っ手５３は、回動軸５３ｂを中心として回動可能とすると、把持部５３ａを把持しやすくなる。把持部５３ａは、回動軸５３ｂよりも、後端２６ｂ側に位置している。
【００２６】
供給部５２には、鉛直方向Ｚに貫通形成された被案内部５５が設けられている。被案内部５５は、容器２６が有する収容体ガイド４９と同数の２つ設けられている。２つの被案内部５５は、幅方向Ｘにおいて回動軸５３ｂの両側の位置に、回動軸５３ｂと一列に並ぶように設けられている。
【００２７】
図３，図４に示すように、収容体ガイド４９は、略円柱状をなし、装着姿勢において載置面４６から鉛直方向Ｚの上方に突出する。収容体ガイド４９に案内される被案内部５５は、略丸穴状をなす。収容体ガイド４９は、被案内部５５を案内することにより、容器２６に着脱される液体収容体２５を案内する。
【００２８】
図５に示すように、容器２６は、奥行方向Ｙにおいて中央２６ｃと先端２６ａとの間に段差があり、先端２６ａ側が中央２６ｃよりも下がっている。そのため、容器２６の鉛直方向Ｚにおける大きさは、先端２６ａが中央２６ｃ及び後端２６ｂよりも小さい。
【００２９】
図６〜図８に示すように、容器２６の底面には、装着部２７への装着時に係止部３５と係合可能な係合凹部５７を設けてもよい。係合凹部５７は、例えばハート型のカム形状にすることができる。
【００３０】
容器２６は、装着方向Ｄ１において容器２６の中央２６ｃよりも先端２６ａ側に位置する係合部５９を備える。係合部５９は、容器２６の底面から鉛直方向Ｚの下方に突出するように形成される。係合部５９は、容器２６が装着部２７から引き出される過程で被係合部４２に係合される凸部である。係合部５９は、レール３１と先端２６ａとの間に位置してもよい。係合部５９は、装着方向Ｄ１において先端２６ａと収容体ガイド４９との間に位置してもよい。
【００３１】
図９に示すように、容器２６は、装着方向Ｄ１の先端２６ａから装着部２７に挿入される。被係合部４２は、装着部２７に装着された容器２６の中央２６ｃよりも装着口２９側に位置する。そのため、被係合部４２は、容器２６が装着部２７に装着された状態において、係合部５９よりも装着口２９側に位置する。
【００３２】
図１０，図１１に示すように、被係合部４２は、装着部２７から容器２６が引き出される過程で、容器２６が有する係合部５９と係合するように構成される。容器ガイド３０の装着口２９側の端は、被係合部４２よりも奥側に位置する。換言すると、被係合部４２は、装着方向Ｄ１において、容器ガイド３０と装着口２９との間に位置する。被係合部４２を構成する面のうち装着方向Ｄ１の奥側に位置する面は、奥側から装着口２９に向かって下がるように傾斜する傾斜部６１を有する。
【００３３】
鉛直方向Ｚにおける容器２６の大きさは、係合部５９が設けられる部分の大きさが、中央２６ｃよりも小さい。係合部５９は、傾斜部６１を下って被係合部４２と係合する。そのため、係合状態の容器２６は、係合部５９と被係合部４２が係合する前の図１０に二点鎖線で示す状態よりも鉛直方向Ｚの下側に位置する。すなわち、係合状態では、鉛直方向Ｚにおいて、容器２６と装着部２７との間には、第２隙間６２ができる。容器２６は、先端２６ａ側の係合部５９が被係合部４２に係合した係合状態のまま、後端２６ｂを鉛直方向Ｚに移動させるように姿勢を変更できる。
【００３４】
図１２に示すように、係合状態の容器２６は、開位置に位置するカバー１７と接触するように構成される。カバー１７には、接触した容器２６を係合状態のまま支持する支持部を設けてもよい。
【００３５】
図１１に示すように、被係合部４２の装着方向Ｄ１における第１長さＬ１及び、被係合部４２の装着方向Ｄ１における底面の第２長さＬ２は、係合部５９の装着方向Ｄ１における第３長さＬ３よりも長くしてもよい。被係合部４２の幅方向Ｘにおける長さは、係合部５９の幅方向Ｘにおける長さよりも長くしてもよい。
【００３６】
図１３に示すように、幅方向Ｘにおいて容器２６と装着部２７との間には第１隙間３３が設けられている。また、図１１に示すように、被係合部４２の装着方向Ｄ１における底面の第２長さＬ２は係合部５９の装着方向Ｄ１における第３長さＬ３よりも長い。そのため、係合状態の容器２６は、先端２６ａ側の係合部５９が被係合部４２に係合した係合状態のまま、後端２６ｂを幅方向Ｘに移動させるように姿勢を変更できる。
【００３７】
本実施形態の作用について説明する。
図３に示すように、装着部２７に容器２６を装着する場合には、閉位置に位置するカバー１７を約９０度回動させて開位置に位置させる。この状態で、容器２６は、装着方向Ｄ１の先端２６ａ側から装着部２７に挿入される。
【００３８】
図１０に示すように、容器２６を装着部２７に装着する過程で係合部５９が被係合部４２に落ちた場合は、係合部５９は、傾斜部６１を上るように被係合部４２を抜ける。
図９に示すように、容器２６は、液体収容体２５が接続部３６に接続されるまで装着方向Ｄ１に押し込まれる。液体収容体２５を交換する際には、ユーザーは、装着部２７に装着された容器２６を、引出方向Ｄ２に引き出す。
【００３９】
図１０に示すように、係合部５９は、装着部２７から容器２６が引き出される過程で、容器ガイド３０による案内が解除された後、被係合部４２に係合する。係合部５９と被係合部４２が係合する係合状態では、係合部５９が被係合部４２よりも奥側に位置し、係合部５９と被係合部４２が装着方向Ｄ１に並ぶ。係合状態では、容器２６は、把持部５３ａを装着口２９より外側に位置させる。このとき、容器２６は、回動軸５３ｂ及び収容体ガイド４９も装着口２９より外側に位置させてもよい。
【００４０】
容器２６は、係合状態のまま容器２６を鉛直方向Ｚや幅方向Ｘに傾けたり、カバー１７に支持させたりできる。液体収容体２５は、係合状態の容器２６から取り外したり、交換したりできる。
【００４１】
本実施形態の効果について説明する。
（１）係合状態では、係合部５９と被係合部４２が装着方向Ｄ１に並ぶため、容器２６の一部が装着部２７内に位置する。係合状態の容器２６は、液体収容体２５が有する把持部５３ａを装着口２９より外側に位置させる。そのため、ユーザーは、容器２６の一部を装着部２７内に位置させた状態で、把持部５３ａを把持できる。したがって、液体収容体２５を容器２６から容易に取り外すことができる。
【００４２】
（２）容器２６を係合状態としたとき、収容体ガイド４９が装着口２９よりも外側に位置する。そのため、ユーザーは、収容体ガイド４９を見ながら液体収容体２５を取り外すことができる。したがって、容器２６が収容体ガイド４９を備える場合でも、液体収容体２５を容器２６から容易に取り外すことができる。
【００４３】
（３）係合部５９は、容器２６の中央２６ｃよりも先端２６ａ側に位置し、被係合部４２は、容器２６の中央２６ｃよりも装着口２９側に位置する。容器２６の先端２６ａの大きさは、容器２６の中央２６ｃの大きさよりも小さい。そのため、容器２６は、係合状態のまま先端２６ａとは反対の後端２６ｂを鉛直方向Ｚに移動させるようにして傾けることができ、液体収容体２５を容器２６からより取り外しやすくできる。
【００４４】
（４）幅方向Ｘにおいて、装着部２７に装着された容器２６と装着部２７との間には第１隙間３３が設けられる。しかし、装着部２７は、容器２６を案内する容器ガイド３０を有するため、容器２６を安定して移動させることができる。容器２６は、容器ガイド３０による案内が解除された後、係合部５９が被係合部４２に係合する。そのため、容器２６が係合状態のとき、容器ガイド３０は容器２６をガイドしない。容器２６と装着部２７との間には第１隙間３３があるため、容器２６は、係合状態のまま先端２６ａとは反対の後端２６ｂを幅方向Ｘに移動させるように傾けることができ、液体収容体２５を容器２６からより取り外しやすくできる。
【００４５】
（５）被係合部４２は、鉛直方向Ｚに凹む凹部である。そのため、係合部５９は、被係合部４２に落ち込むようにして係合するため、係合状態の容器２６と装着部２７は、鉛直方向Ｚの上方の第２隙間６２が大きくなる。したがって、係合状態の容器２６は、先に引き出される後端２６ｂが、先端２６ａよりも鉛直方向Ｚの下方に位置するように傾けやすくできる。
【００４６】
（６）凹部である被係合部４２の装着方向Ｄ１における長さは、凸部である係合部５９の装着方向Ｄ１における長さよりも長い。幅方向Ｘにおいて、容器２６と装着部２７との間には第１隙間３３があるため、容器２６は、係合状態のまま先端２６ａとは反対の後端２６ｂを幅方向Ｘに移動させるように傾けることができ、液体収容体２５を容器２６からより取り外しやすくできる。
【００４７】
（７）被係合部４２の奥側の面は、奥側から装着口２９に向かって下がるように傾斜する傾斜部６１を有する。そのため、装着部２７に装着された容器２６を引き出すとき、係合部５９は傾斜部６１に沿って被係合部４２に誘導され、係合部５９と被係合部４２をスムーズに係合させることができる。
【００４８】
（８）被係合部４２は、装着口２９と装着方向Ｄ１に隣り合い、係合部５９は、先端２６ａと収容体ガイド４９との間に位置する。したがって、容器２６を係合状態としたとき、収容体ガイド４９を装着口２９よりも外側に容易に位置させることができる。
【００４９】
（９）係合状態の容器２６は、開位置に位置するカバー１７と接触するように構成される。すなわち、容器２６は、被係合部４２とカバー１７により支持されるため、容器２６の姿勢を安定させることができる。
【００５０】
（１０）容器２６の後端２６ｂを把持してこの容器２６を装着部２７から引き抜くと、容器２６の先端２６ａが落下する虞がある。例えば、下段の装着部２７に装着される容器２６を引き出した状態で、上段の装着部２７に装着される容器２６が落下すると、落下した容器２６が下段の液体収容体２５に当たる虞がある。その点、引出方向Ｄ２に引き出される容器２６は、係合部５９が被係合部４２に係合して止まるため、容器２６が落下する虞を低減できる。
【００５１】
本実施形態は、以下のように変更して実施することができる。本実施形態及び以下の変更例は、技術的に矛盾しない範囲で互いに組み合わせて実施することができる。
・把持部５３ａは、供給部５２と一体で設けてもよい。
【００５２】
・カバー１７は、閉位置と開位置に位置するようにスライド移動させてもよい。容器２６は、開位置に位置するカバー１７と接触しなくてもよい。液体噴射装置１１は、カバー１７とは別に、係合状態の容器２６を支持する支持部を備えてもよい。
【００５３】
・収容体ガイド４９は、角柱状や楕円柱状など任意の形状としてもよい。収容体ガイド４９は、容器２６の側板と一体で形成してもよい。例えば、収容体ガイド４９は、容器２６の側板から内側に突出するように、略半円柱状に形成してもよい。容器２６は、収容体ガイド４９を備えない構成としてもよい。
【００５４】
・係合部５９は、先端２６ａ側ほど鉛直方向Ｚの上方に位置する傾斜部を有してもよい。この場合、被係合部４２は、傾斜部６１を有していなくてもよい。
・装着姿勢で係合部５９が被係合部４２に係合した容器２６は、収容体ガイド４９や把持部５３ａが装着部２７内に位置してもよい。容器２６は、係合状態のまま姿勢が変更されることで、収容体ガイド４９や把持部５３ａを装着口２９よりも外側に位置させてもよい。
【００５５】
・装着姿勢の容器２６が係合状態となったとき、収容体ガイド４９や把持部５３ａが装着口２９よりも外側に位置する場合には、容器２６を装着姿勢としたまま液体収容体２５を交換してもよい。容器２６は、係合状態になったとき、姿勢を変更しなくてもよい。容器２６は、係合状態になったとき、幅方向Ｘと鉛直方向Ｚのうち一方のみに姿勢を変更可能としてもよい。すなわち、幅方向Ｘにおいて容器２６と装着部２７は同じ大きさとしてもよい。被係合部４２の装着方向Ｄ１における長さは、係合部５９の装着方向Ｄ１における長さと同じでもよい。
【００５６】
・被係合部４２は、容器２６の移動経路３８に突出する凸部としてもよい。係合部５９は、容器２６の底面から鉛直方向Ｚの上方に凹む凹部としてもよい。係合部５９と被係合部４２は、凸部の先端、凹部の底面、凸部や凹部の側面のうち、少なくとも１つを円弧形状や半球形状としてもよいし、尖った形状としてもよい。これにより、係合部５９と被係合部４２の接触面積を小さくすることができ、容器２６をより傾けやすくできる。
【００５７】
・係合部５９は、円筒状や円柱状としてもよいし、被係合部４２は、係合部５９よりも径が大きな穴としてもよい。
・被係合部４２は、１つの部材により形成してもよいし、複数の部材により形成してもよい。例えば、被係合部４２は、外装体１２と装着部２７とにより構成してもよい。
【００５８】
・係合部５９は、容器ガイド３０とレール３１とが係合する状態で、被係合部４２に係合してもよい。
・鉛直方向Ｚにおいて、先端２６ａの大きさは、中央２６ｃの大きさと同じであってもよいし、先端２６ａの大きさが後端２６ｂや中央２６ｃの大きさよりも大きくてもよい。
【００５９】
・液体噴射装置１１は、インク以外の他の液体を噴射したり吐出したりする液体噴射装置であってもよい。液体噴射装置から微小量の液滴となって吐出される液体の状態としては、粒状、涙状、糸状に尾を引くものも含むものとする。ここでいう液体は、液体噴射装置から噴射させることができるような材料であればよい。例えば、液体は、物質が液相であるときの状態のものであればよく、粘性の高い又は低い液状体、ゾル、ゲル水、その他の無機溶剤、有機溶剤、溶液、液状樹脂、液状金属、金属融液、のような流状体を含むものとする。液体は、物質の一状態としての液体のみならず、顔料や金属粒子などの固形物からなる機能材料の粒子が溶媒に溶解、分散又は混合されたものなども含むものとする。液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば、液晶ディスプレイ、エレクトロルミネッセンスディスプレイ、面発光ディスプレイ、カラーフィルターの製造等に用いられる電極材や色材等の材料を分散又は溶解のかたちで含む液体を噴射する装置がある。液体噴射装置は、バイオチップ製造に用いられる生体有機物を噴射する装置、精密ピペットとして用いられ試料となる液体を噴射する装置、捺染装置やマイクロディスペンサー等であってもよい。液体噴射装置は、時計やカメラ等の精密機械にピンポイントで潤滑油を噴射する装置、光通信素子等に用いられる微小半球レンズ、光学レンズ、などを形成するために紫外線硬化樹脂等の透明樹脂液を基板上に噴射する装置であってもよい。液体噴射装置は、基板などをエッチングするために酸又はアルカリ等のエッチング液を噴射する装置であってもよい。
【００６０】
以下に、上述した実施形態及び変更例から把握される技術的思想及びその作用効果を記載する。
液体噴射装置は、液体を収容する液体収容体を載置するように構成される容器と、前記容器が装着口から装着方向に挿入されて装着される装着部と、前記容器に載置される前記液体収容体から供給される前記液体を噴射するように構成される液体噴射ヘッドと、を備え、前記装着部は、該装着部から前記容器が引き出される過程で、前記容器が有する係合部と係合するように構成される被係合部を有し、前記容器は、前記係合部が前記被係合部に係合して前記係合部と前記被係合部が前記装着方向に並ぶ係合状態で、前記液体収容体が前記容器に着脱される際にユーザーに把持される把持部を前記装着口より外側に位置させる。
【００６１】
この構成によれば、係合状態では、係合部と被係合部が装着方向に並ぶため、容器の一部が装着部内に位置する。係合状態の容器は、液体収容体が有する把持部を装着口より外側に位置させる。そのため、ユーザーは、容器の一部を装着部内に位置させた状態で、把持部を把持できる。したがって、液体収容体を容器から容易に取り外すことができる。
【００６２】
液体噴射装置において、前記容器は、該容器から前記液体収容体が取り外される際に、該液体収容体を案内する収容体ガイドを有し、前記収容体ガイドは、前記係合状態で前記装着口よりも外側に位置してもよい。
【００６３】
この構成によれば、容器を係合状態としたとき、収容体ガイドが装着口よりも外側に位置する。そのため、ユーザーは、収容体ガイドを見ながら液体収容体を取り外すことができる。したがって、容器が収容体ガイドを備える場合でも、液体収容体を容器から容易に取り外すことができる。
【００６４】
液体噴射装置において、前記容器は、前記装着方向の先端から前記装着部に挿入され、前記係合部は、前記装着方向において前記容器の中央よりも前記先端側に位置し、前記被係合部は、前記装着部に装着された前記容器の中央よりも前記装着口側に位置し、前記容器の鉛直方向における大きさは、前記先端が前記中央よりも小さくてもよい。
【００６５】
この構成によれば、係合部は、容器の中央よりも先端側に位置し、被係合部は、容器の中央よりも装着口側に位置する。容器の先端の大きさは、容器の中央の大きさよりも小さい。そのため、容器は、係合状態のまま先端とは反対の後端を鉛直方向に移動させるようにして傾けることができ、液体収容体を容器からより取り外しやすくできる。
【００６６】
液体噴射装置は、前記装着方向及び鉛直方向と交差する幅方向において、前記装着部に装着された前記容器と前記装着部との間には隙間が設けられ、前記装着部は、該装着部から引き出される前記容器を案内する容器ガイドを有し、前記係合部は、前記容器ガイドによる案内が解除された後、前記被係合部に係合してもよい。
【００６７】
この構成によれば、幅方向において、装着部に装着された容器と装着部との間には隙間が設けられる。しかし、装着部は、容器を案内する容器ガイドを有するため、容器を安定して移動させることができる。容器は、容器ガイドによる案内が解除された後、係合部が被係合部に係合する。そのため、容器が係合状態のとき、容器ガイドは容器をガイドしない。容器と装着部との間には隙間があるため、容器は、係合状態のまま先端とは反対の後端を幅方向に移動させるように傾けることができ、液体収容体を容器からより取り外しやすくできる。
【００６８】
液体噴射装置において、前記被係合部は、前記装着部から引き出される前記容器の移動経路上に設けられた鉛直方向に凹む凹部であり、前記係合部は、前記容器が前記装着部から引き出される過程で前記被係合部に係合する凸部であってもよい。
【００６９】
この構成によれば、被係合部は、鉛直方向に凹む凹部である。そのため、係合部は、被係合部に落ち込むようにして係合するため、係合状態の容器と装着部は、鉛直方向の上方の隙間が大きくなる。したがって、係合状態の容器は、先に引き出される後端が、先端よりも鉛直方向の下方に位置するように傾けやすくできる。
【００７０】
液体噴射装置は、前記装着方向及び鉛直方向と交差する幅方向において、前記装着部に装着された前記容器と前記装着部との間には隙間が設けられ、前記被係合部の前記装着方向における長さは、前記係合部の前記装着方向における長さよりも長くしてもよい。
【００７１】
この構成によれば、凹部である被係合部の装着方向における長さは、凸部である係合部の装着方向における長さよりも長い。幅方向において、容器と装着部との間には隙間があるため、容器は、係合状態のまま先端とは反対の後端を幅方向に移動させるように傾けることができ、液体収容体を容器からより取り外しやすくできる。
【００７２】
液体噴射装置において、前記被係合部を構成する面のうち前記装着方向の奥側に位置する面は、前記奥側から前記装着口に向かって下がるように傾斜する傾斜部を有してもよい。
【００７３】
この構成によれば、被係合部の奥側の面は、奥側から装着口に向かって下がるように傾斜する傾斜部を有する。そのため、装着部に装着された容器を引き出すとき、係合部は傾斜部に沿って被係合部に誘導され、係合部と被係合部をスムーズに係合させることができる。
【００７４】
液体噴射装置において、前記被係合部は、前記装着口と前記装着方向に隣り合い、前記容器は、前記装着方向の先端から前記装着部に挿入され、前記液体収容体が前記容器から取り外される際に、前記液体収容体を案内する収容体ガイドを有し、前記係合部は、前記装着方向において前記先端と前記収容体ガイドとの間に位置してもよい。
【００７５】
この構成によれば、被係合部は、装着口と装着方向に隣り合い、係合部は、先端と収容体ガイドとの間に位置する。したがって、容器を係合状態としたとき、収容体ガイドを装着口よりも外側に容易に位置させることができる。
【００７６】
液体噴射装置は、前記装着口を覆う閉位置と、前記装着口を露出させる開位置と、に位置するように構成されるカバーを備え、前記係合状態の前記容器は、前記開位置に位置する前記カバーと接触するように構成されてもよい。
【００７７】
この構成によれば、係合状態の容器は、開位置に位置するカバーと接触するように構成される。すなわち、容器は、被係合部とカバーにより支持されるため、容器の姿勢を安定させることができる。
【符号の説明】
【００７８】
１１…液体噴射装置、１２…外装体、１３…操作部、１４…媒体、１５…排出トレイ、１６…媒体収容体、１７…カバー、１９…媒体支持部、２０…液体噴射ヘッド、２１…キャリッジ、２２…ガイド軸、２３…ノズル、２５…液体収容体、２６…容器、２６ａ…先端、２６ｂ…後端、２６ｃ…中央、２７…装着部、２９…装着口、３０…容器ガイド、３１…レール、３３…第１隙間、３５…係止部、３６…接続部、３７…位置決め突部、３８…移動経路、４０…ころ、４２…被係合部、４４…アーム、４６…載置面、４７…供給口、４８…位置決め穴、４９…収容体ガイド、５１…袋、５２…供給部、５３…取っ手、５３ａ…把持部、５３ｂ…回動軸、５５…被案内部、５７…係合凹部、５９…係合部、６１…傾斜部、６２…第２隙間、Ｘ…幅方向、Ｙ…奥行方向、Ｚ…鉛直方向、Ｄ１…装着方向、Ｄ２…引出方向、Ｌ１…第１長さ、Ｌ２…第２長さ、Ｌ３…第３長さ。
【図１】
2020011423.tif 000003
【図２】
2020011423.tif 000004
【図３】
2020011423.tif 000005
【図４】
2020011423.tif 000006
【図５】
2020011423.tif 000007
【図６】
2020011423.tif 000008
【図７】
2020011423.tif 000009
【図８】
2020011423.tif 000010
【図９】
2020011423.tif 000011
【図１０】
2020011423.tif 000012
【図１１】
2020011423.tif 000013
【図１２】
2020011423.tif 000014
【図１３】
2020011423.tif 000015